(57)【特許請求の範囲】
【請求項１】
信号を受信する受信器と、盗難を防止すべき対象物への取り付け状態及び対象物からの外れ状態を検出する検出器（20）と、警報音を出力する警報音出力器と、前記受信器の受信結果及び前記検出器の検出結果に基づいて、前記警報音出力器の出力動作を制御する警報音出力制御手段（34）とを備える盗難防止装置において、
前記検出器が外れ状態を検出した場合、計時を開始する計時手段（33）を備え、
前記警報音出力制御手段（34）は、前記警報音出力器に警報音を、予め定めた第１周期で出力させる第１出力調整手段と、前記警報音出力器に警報音を、前記第１周期より長い第２周期で出力させる第２出力調整手段と、前記計時手段が計時した時間に基づいて、第１出力調整手段及び第２出力調整手段のいずれか一方を交互に繰返し作動させる作動制御手段とを具備することを特徴とする盗難防止装置。
【請求項２】
前記作動制御手段は、前記計時手段（33）が予め定めた第１時間を計時する間、第１出力調整手段を作動させ、前記計時手段が第１時間より長い第２時間を計時する間、第２出力調整手段を作動させるようになしてある請求項１記載の盗難防止装置。
【請求項３】
警報光を出力する警報光出力器（６）と、前記受信器の受信結果及び前記検出器の検出結果に基づいて、前記警報光出力器（６）の出力動作を制御する警報光出力制御手段（37）とを備え、該警報光出力制御手段（37）は、前記第２出力調整手段が作動している場合、前記警報光出力器に警報光を、前記第２周期より短い第３周期で出力させる手段を具備する請求項２記載の盗難防止装置。
【発明の詳細な説明】
【０００１】
【発明の属する技術分野】
本発明は、盗難を防止すべき対象物への取り付け状態を検出して警報音を発する自鳴式の盗難防止装置に関する。
【０００２】
【従来の技術】
図６及び図７は自鳴式の従来の盗難防止装置の使用状態を説明する説明図である。盗難防止装置４０は、矩形の外箱４１の正面に開設した孔から、ボタンスイッチ４２を進退自在に突出させてあり、該ボタンスイッチ４２は前記孔から外側へ付勢してある。盗難防止装置４０は、その正面を箱及びケース等の対象物Ｔの一面に対向させてそれに当接させることによって、ボタンスイッチ４２を外箱４１内へ押し込んで閉路し、その状態で、合成樹脂製ラップ又は粘着テープ等の取り付け材によって対象物Ｔに取り付けてある。また、盗難防止装置４０は、送信器から送信される信号を受信するアンテナ、ブザー及びバッテリ等を内蔵している。
【０００３】
送信器は、盗難防止装置４０が受信し得る強度の信号を所定の領域内へ送信するようになしてあり、出入口に設置したゲートに送信器を配設しておくことによって、盗難防止装置４０を取り付けた対象物Ｔがゲートに接近して、盗難防止装置４０が送信器から送信された信号を受信した場合、盗難防止装置４０はブザーを作動させて警報音を発し、対象物Ｔの盗難を防止する。
【０００４】
一方、取り付け材を取り除いて盗難防止装置４０を対象物Ｔから取り外した場合、ボタンスイッチ４２が突出して開路するため、盗難防止装置４０はそれを検出し、ブザーを作動して警報音を発し、対象物Ｔの盗難を防止する。
【０００５】
図８及び図９は従来の他の盗難防止装置の使用状態を説明する説明図であり、図８は、対象物への取り付け具がワイヤである場合を、また図９は、対象物への取り付け具がピンである場合を示している。
【０００６】
図８に示した如く、ワイヤ９４は、導電性のピン状部材をその先端を除いて絶縁材で被覆した２つの差込み部を、フレキシブル導体を絶縁材で被覆した連絡部で連絡してなり、両差込み部の先端近傍の周面には環状の溝が設けてある。短冊状の盗難防止装置本体の一端面には前記ワイヤ９４の差込み部を差し込む２つの差込み穴が開設してあり、両差込み穴の内部には、前述した溝に係合して両差込み部をロックするロック機構が設けてある。そして、ワイヤ９４を、上着及びシャツのボタン穴又は衣類の襟元に設けたタグ等（図８では上着のボタン穴）、対象物Ｔの取り付け部位に挿通させ、ワイヤ９４の差込み部を盗難防止装置本体の差込み穴に、前記溝とロック機構とが係合するまで差し込むことによって、盗難防止装置９１を対象物Ｔに取り付ける。
【０００７】
また、図９に示した如く、ピン９５は、円板状の頭部の下面中央に針状の脚部を垂設してなり、脚部の先端近傍の周面には環状の溝が設けてある。盗難防止装置本体の表面の一端近傍には、ピン９５の脚部を差し込む差込み穴が設けてあり、差込み穴の内部には、前述した溝に係合して脚部をロックするロック機構が設けてある。そして、ピン９５の脚部を、ニット製品の編み目及びシャツのボタン穴等（図９ではニット製品の編み目）、対象物Ｔの取り付け部位に挿通させ、ピン９５の脚部を盗難防止装置本体の差込み穴に、前記溝とロック機構とが係合するまで差し込むことによって、盗難防止装置９２を対象物Ｔに取り付ける。
【０００８】
図８及び図９に示した盗難防止装置本体は、送信器から送信される信号を受信するアンテナ、ブザー及びバッテリ等を内蔵している。送信器は、盗難防止装置９１，９２が受信し得る強度の信号を所定の領域内へ送信するようになしてあり、出入口に設置したゲートに送信器を配設しておくことによって、盗難防止装置９１，９２を取り付けた対象物Ｔがゲートに接近して、盗難防止装置本体が送信器から送信された信号を受信した場合、盗難防止装置本体はブザーを作動させて警報音を発し、対象物Ｔの盗難を防止する。
【０００９】
また、ワイヤ９４及びピン９５は常閉接点として機能しており、盗難防止装置９１，９２を対象物Ｔから取り除くべく、ワイヤ９４又はピン９５を盗難防止装置本体から抜出した場合、又はワイヤ９４を切断した場合、盗難防止装置本体はそれを検出し、ブザーを作動させて警報音を発する。
【００１０】
【発明が解決しようとする課題】
ところで、図６及び図７に示した従来の盗難防止装置にあっては、合成樹脂製ラップ又は粘着テープ等の取り付け材が緩んでボタンスイッチ４２が突出して開路した場合であっても、盗難防止装置４０はブザーを作動して警報音を発する。また、図８及び図９に示した盗難防止装置にあっては、ワイヤ９４に連結した差込み部又はピン９５が、盗難防止装置本体に設けた差込み穴内に確実に差し込まれていないために、差込み部又はピン９５が差込み穴から抜出し、ブザーが作動して警報音が発することがあった。このような誤警報音が発生した場合、ユーザはその発生源を警報音によって特定し、取り付け材を交換或いは締め直し、又は差込み部或いはピン９５を差込み穴内に確実に差し込むメンテナンスを施していた。
【００１１】
しかし、閉店してユーザが帰宅した後に、前述した如く取り付け材の緩み又は差込み部或いはピン９５の差込み穴からの抜出等、取り付け不良が発生した場合、バッテリが消耗してブザーが作動停止するまで、又はユーザが出店してメンテナンスを施すまで、盗難防止装置は警報音を発生し続ける。
【００１２】
盗難防止装置は小型化が要求されているため、盗難防止装置には、小型で、比較的容量が少ないバッテリが搭載してある。一方、ブザーは比較的大きな電力を必要とするため、一晩でバッテリが消耗してしまう場合もある。バッテリが消耗した場合、新たな盗難防止装置に交換しなければならないため、盗難防止に要するコストが嵩む。また、メンテナンスによって警報音の発生が停止された場合であっても、バッテリが激しく消耗しており、当該盗難防止装置を短い期間で新たな盗難防止装置に交換しなければならないため、盗難防止に要するコストが嵩むという問題があった。
【００１３】
本発明はかかる事情に鑑みてなされたものであって、その目的とするところは、取り付け不良が発生した場合であってもバッテリの消耗を可及的に抑制することができる盗難防止装置を提供することにある。
【００１４】
【課題を解決するための手段】
第１発明に係る盗難防止装置は、信号を受信する受信器と、盗難を防止すべき対象物への取り付け状態及び対象物からの外れ状態を検出する検出器と、警報音を出力する警報音出力器と、前記受信器の受信結果及び前記検出器の検出結果に基づいて、前記警報音出力器の出力動作を制御する警報音出力制御手段とを備える盗難防止装置において、前記検出器が外れ状態を検出した場合、計時を開始する計時手段を備え、前記警報音出力制御手段は、前記警報音出力器に警報音を、予め定めた第１周期で出力させる第１出力調整手段と、前記警報音出力器に警報音を、前記第１周期より長い第２周期で出力させる第２出力調整手段と、前記計時手段が計時した時間に基づいて、第１出力調整手段及び第２出力調整手段のいずれか一方を交互に繰返し作動させる作動制御手段とを具備することを特徴とする。
【００１５】
検出器が、盗難を防止すべき対象物からの外れ状態を検出した場合、計時手段が計時を開始すると共に、作動制御手段は第１出力調整手段を作動させて、警報音出力器に警報音を比較的短い第１周期で出力させる。作動制御手段は、計時手段が計時した時間に基づいて、所定時間だけ第１出力調整手段を作動させた後、第２出力調整手段を作動させ、警報音出力器に警報音を、前記第１周期より長い第２周期で出力させる。そして、作動制御手段は、計時手段が計時した時間に基づいて、所定時間だけ第２出力調整手段を作動させた後、再び、第１出力調整手段を作動させる。
【００１６】
このように、比較的短い第１周期及び該第１周期より長い第２周期で、交互に警報音出力器に警報音を出力させるため、警報音が第１周期で出力された場合、ユーザは、盗難防止装置が対象物から外れたことを瞬時に認識することができ、盗難防止又はメンテナンスを実施することができる。また、ユーザが帰宅後に、盗難防止装置が対象物から外れた場合、第１周期又は第２周期で警報音が出力され続けるため、ユーザが何時出社した場合であっても、盗難防止装置が対象物から外れたことを察知することができる。この間、任意の間隔で、第２周期による警報音が出力されるため、バッテリの消耗が可及的に抑制される。一方、任意の間隔で、第１周期による警報音が出力されるため、比較的長い第２周期を設定した場合であっても、盗難防止装置が対象物から外れたことを確実にユーザに知らせることができる。
【００１７】
第２発明に係る盗難防止装置は、第１発明において、前記作動制御手段は、前記計時手段が予め定めた第１時間を計時する間、第１出力調整手段を作動させ、前記計時手段が第１時間より長い第２時間を計時する間、第２出力調整手段を作動させるようになしてあることを特徴とする。
【００１８】
第１出力調整手段を作動させる時間より、第２出力調整手段を作動させる時間を長くすることによって、バッテリの消耗を更に抑制することができる。
【００１９】
第３発明に係る盗難防止装置は、第２発明において、警報光を出力する警報光出力器と、前記受信器の受信結果及び前記検出器の検出結果に基づいて、前記警報光出力器の出力動作を制御する警報光出力制御手段とを備え、該警報光出力制御手段は、前記第２出力調整手段が作動している場合、前記警報光出力器に警報光を、前記第２周期より短い第３周期で出力させる手段を具備することを特徴とする。
【００２０】
第２周期より短い第３周期で警報光を出力させる。これによって、比較的長い第２周期を設定した場合であっても、ユーザは、複数の盗難防止装置の中から、素早く、対象物から外れた盗難防止装置を捜し出すことができる。一方、警報光の出力に係る消費電力は、警報音の出力に係る消費電力に比べて極めて少ないため、第２周期より短い第３周期で警報光を出力させた場合であっても、バッテリの消耗は少ない。
【００２１】
【発明の実施の形態】
以下、本発明の実施の形態を図面に基づいて具体的に説明する。
図１は本発明に係る盗難防止装置の一例を示す外観斜視図であり、図２は図１に示した盗難防止装置の分解斜視図である。短冊状の外箱１は、一対の正面側箱部材２及び背面側箱部材３を超音波接合することによって形成してある。正面側箱部材２及び背面側箱部材３内には、プリント配線した基板１１、ボタンスイッチ２０及びボタン電池５が格納されており、ボタン電池５はブザーを内蔵する円形のカバー部材４に内嵌してある。
【００２２】
また、外箱１が有する４つの角部の内の一つに、警報光を発する発光部６が設けてある。発光部６は、正面側箱部材２及び背面側箱部材３が対向する部分に設けた倒立Ｌ字状の開口に有色透明な透光板７を嵌合してなり、該透光板７に対向配置したＬＥＤ８を内蔵している。
【００２３】
基板１１の正面には、所定周波数の信号を受信するための共振装置１２、共振装置１２が受信した信号及びボタンスイッチ２０から与えられる開閉信号に基づいて、ブザーによる警報音の発生を制御するマイクロコンピュータ３０、及び前述したＬＥＤ８等が実装してある。また、基板１１には、ボタンスイッチ２０と接続する４つの接点１４，１４，１４，１４等が設けてある。
【００２４】
ボタンスイッチ２０は、矩形状のケース２１の正面中央に円柱状のセンサーボタン２２を入出自在に突設してなり、該センサーボタン２２から距離を隔てた位置にスライドボタン２３が、外箱１の長手方向へ摺動自在に設けてある。ケース２１の裏面には、スライドボタン２３に係る１対の電極、及びセンサーボタン２２に係る１対の電極が、前述した基板１１に設けてある各接点１４，１４，１４，１４に当接するように設けてある。
【００２５】
正面側箱部材２の上端近傍には、ボタンスイッチ２０のセンサーボタン２２を貫通させる円形の第１孔２ａ、及びスライドボタン２３を操作するための矩形の第２孔２ｂが開設してあり、第２孔２ｂの周囲は、該第２孔２ｂに向かうに従って正面側箱部材２の厚さが薄くなるテーパになしてある。また、正面側箱部材２の略中央には、前述したカバー部材４が内嵌する円形の第３孔２ｃが開設してあり、正面側箱部材２の下端近傍には、警報音を放出させる窓２ｄが設けてある。
【００２６】
図１に示した如く、ボタンスイッチ２０のセンサーボタン２２は、正面側箱部材２の第１孔２ａを貫通して正面側箱部材２から適宜長さだけ突出する寸法になしてあり、スライドボタン２３は、正面側箱部材２の第２孔２ｂに内嵌し、正面側箱部材２から突出しない寸法になしてある。これによって、盗難防止装置を盗難を防止すべき対象物に取り付けたときに、正面側箱部材２と対象物との間に隙間が生じることが防止される。
【００２７】
このような盗難防止装置にあっては、外箱１の正面を箱及びケース等の対象物の一面に対向させてそれに当接させることによって、センサーボタン２２を外箱１内へ押し込んでボタンスイッチ２０を閉路し、その状態で、合成樹脂製ラップ又は粘着テープ等の取り付け材によって対象物に取り付ける。また、盗難防止装置の共振装置１２が受信し得る強度の信号を所定の領域内へ送信する送信器を、出入口に設置したゲートに配設しておく。
【００２８】
取り付け材を取り除いて盗難防止装置を対象物から取り外した場合、センサーボタン２２が突出してボタンスイッチ２０が開路するため、マイクロコンピュータ３０はそれを検出し、ブザーを作動させて警報音を、例えば６４ｍ秒間隔で発せさせると共に、発光部６のＬＥＤ８を点灯させる第１警報を生成し、対象物の盗難を防止する。また、盗難防止装置を取り付けた対象物がゲートに接近して、盗難防止装置が送信器から送信された信号を受信した場合、マイクロコンピュータ３０はブザー及び発光部６を前同様に作動させて第１警報を生成し、対象物の盗難を防止する。
【００２９】
ところで、マイクロコンピュータ３０は、センサーボタン２２が突出してボタンスイッチ２０が開路したことを検出してからの時間を計時するようになしてあり、計時した時間が予め定めた第１時間（例えば５分）に達したか否かを判断する。マイクロコンピュータ３０は、ブザーを停止させるリセット信号が与えられることなく、計時した時間が第１時間に達したと判断した場合、ブザーをして、例えば１６秒間隔でパルス状に発報せしめると共に、発光部６をして、ブザーが発報してから例えば０．２５秒間だけ点灯せしめる第２警報を生成する。
【００３０】
ＣＰＵ３１は、計時した時間が第１時間より長い第２時間（例えば６５分）に達したか否かを判断し、ブザーを停止させるリセット信号が与えられることなく、計時した時間が第２時間に達したと判断した場合、ブザー及び発光部６をして再び第１警報を生成せしめると共に、計時した時間をリセットした後、再計時を行う。
【００３１】
図３は、図２に示したマイクロコンピュータ３０の機能ブロック図であり、図４及び図５はマイクロコンピュータ３０による発報及び発光の制御手順を示すフローチャートである。マイクロコンピュータ３０のＣＰＵ３１は、盗難防止装置が対象物に取り付けられた後に与えられるセット信号が、入力部３２に入力されるまで待機し（ステップＳ１）、それが入力されたと判断した場合、後述するブザーによる発報及び発光部６による発光の制御を行う。
【００３２】
ＣＰＵ３１は、前述した共振装置１２（図２参照）から入力部３２に信号が与えられたか否か、即ちゲートに設けた送信器が送信した信号を受信したか否かを判断し（ステップＳ２）、それが与えられた場合、発音制御部３４をしてブザーを、例えば６４ｍ秒間隔で発報せしめる（ステップＳ３）と共に、発光制御部３５をして発光部６を点灯せしめる（ステップＳ４）ことによって、第１警報を生成する。
【００３３】
ＣＰＵ３１は、ステップＳ２において、共振装置１２から入力部３２に信号が与えられていないと判断した場合、ボタンスイッチ２０から入力部３２に開路信号が与えられたか否かを判断し（ステップＳ１０）、それが与えられていない場合、ステップＳ２へ戻る。
【００３４】
ＣＰＵ３１は、ステップＳ１０において、ボタンスイッチ２０から入力部３２に開路信号が与えられたと判断した場合、計時部３３を作動させる（ステップＳ１１）と共に、発音制御部３４をしてブザーを、例えば６４ｍ秒間隔で発報せしめる（ステップＳ１２）と共に、発光制御部３５をして発光部６を点灯せしめ（ステップＳ１３）ることによって、第１警報を発生させる。
【００３５】
ＣＰＵ３１には予め第１時間（例えば５分）及び第２時間（例えば６５分）が予め設定してある。ＣＰＵ３１は、ブザー及び発光部６の制御動作を停止させるリセット信号がユーザによって入力部３２に入力されたか否かを判断し（ステップＳ１４）、それが入力されていない場合、ステップＳ１５に移り、計時部３３によって計時された時間が第１時間に達したと判断するまで、ステップＳ１４及びステップＳ１５の操作を繰り返す。
【００３６】
そして、ＣＰＵ３１は、計時時間が第１時間に達したと判断した場合、発音制御部３４をしてブザーを、例えば１６秒間隔で発報せしめる（ステップＳ１６）と共に、発光制御部３５をして発光部６を、ブザーが発報してから例えば０．２５秒間だけ点灯せしめる（ステップＳ１７）ことによって、第２警報を生成する。
【００３７】
ＣＰＵ３１は、リセット信号がユーザによって入力部３２に入力されたか否かを判断し（ステップＳ１８）、それが入力されていない場合、計時部３３によって計時された時間が第２時間に達したか否かを判断する（ステップＳ１９）。ＣＰＵ３１は、計時時間が第２時間に達したと判断するまで、ステップＳ１８及びステップＳ１９の操作を繰り返し、第２時間に達したと判断した場合、計時部３３が計時した時間をリセットした（ステップＳ２０）後、ステップＳ１１へ戻り、再び第１警報を生成する。ＣＰＵ３１は、リセット信号がユーザによって入力部３２に入力されたと判断するまで、ステップＳ１１〜ステップＳ２０までの操作を繰り返す。
【００３８】
第１警報及び第２警報を上述した如く設定した場合、第２警報に要する消費電力は第１警報に要する消費電力の略１／１１であり、また、第１警報は１時間の間隔で５分間だけ生成されるため、閉店してユーザが帰宅した後に取り付け不良が発生して、盗難防止装置が一晩中、第１警報及び第２警報を交互に発生し続ける場合であっても、バッテリの消耗を可及的に抑制することができる。
【００３９】
一方、ユーザは、第１警報又は第２警報の警報音によって、盗難防止装置を視認することなく、何れかの盗難防止装置に取り付け不良が発生したこと、及び当該盗難防止装置が配置してあるおおよその位置を認識することができる。そして、ユーザは、第１警報が生成されているときは、その警報音及び発光によって、当該盗難防止装置を特定し、第２警報が生成されているときは、主に発光によって、当該盗難防止装置を特定する。これは、前述した如く、第２警報は、警報音を発する時間より、発光を発する時間の方を長くなしてあるためである。しかしながら、発光はＬＥＤによって行われているため、消費電力の増大を可及的に抑制することができる。
【００４０】
なお、上述した実施の形態では、対象物への取り付け状態を検出する検出器をボタンスイッチにした場合に付いて説明したが、本発明はこれに限らず、ワイヤ又はピンを用いて対象物へ取り付け、ワイヤ又はピンの状態を検出するようになしてもよいことはいうまでもない。
【００４１】
なお、特許請求の範囲の項に、図面との対照を便利にするために符号を記載してあるが、この記載によって本発明は添付図面の構造に限定されるものではない。
【００４２】
【発明の効果】
以上詳述した如く、第１発明に係る盗難防止装置にあっては、警報音が第１周期で出力された場合、ユーザは、盗難防止装置が対象物から外れたことを瞬時に認識することができ、盗難防止又はメンテナンスを実施することができる。また、ユーザが帰宅後に、盗難防止装置が対象物から外れた場合、第１周期又は第２周期で警報音が出力され続けるため、ユーザが何時出社した場合であっても、盗難防止装置が対象物から外れたことを察知することができる。この間、任意の間隔で、第２周期による警報音が出力されるため、バッテリの消耗が可及的に抑制される。一方、任意の間隔で、第１周期による警報音が出力されるため、比較的長い第２周期を設定した場合であっても、盗難防止装置が対象物から外れたことを確実にユーザに知らせることができる。
【００４３】
第２発明に係る盗難防止装置にあっては、第１出力調整手段を作動させる時間より、第２出力調整手段を作動させる時間を長くすることによって、バッテリの消耗を更に抑制することができる。
【００４４】
第３発明に係る盗難防止装置にあっては、比較的長い第２周期を設定した場合であっても、ユーザは、複数の盗難防止装置の中から、素早く、対象物から外れた盗難防止装置を捜し出すことができる等、本発明は優れた効果を奏する。
【図面の簡単な説明】
【図１】本発明に係る盗難防止装置の一例を示す外観斜視図である。
【図２】図１に示した盗難防止装置の分解斜視図である。
【図３】図２に示したマイクロコンピュータの機能ブロック図である。
【図４】マイクロコンピュータによる発報及び発光の制御手順を示すフローチャートである。
【図５】マイクロコンピュータによる発報及び発光の制御手順を示すフローチャートである。
【図６】自鳴式の従来の盗難防止装置の使用状態を説明する説明図である。
【図７】自鳴式の従来の盗難防止装置の使用状態を説明する説明図である。
【図８】従来の他の盗難防止装置の使用状態を説明する説明図である。
【図９】従来の他の盗難防止装置の使用状態を説明する説明図である。
【符号の説明】
１    外箱
５    ボタン電池
６    発光部
８    ＬＥＤ
１１  基板
２０  ボタンスイッチ
３０  マイクロコンピュータ
３３  計時部
３４  発音制御部
３５  発光制御部
【図１】
0003629606.tif 000002
【図２】
0003629606.tif 000003
【図３】
0003629606.tif 000004
【図４】
0003629606.tif 000005
【図５】
0003629606.tif 000006
【図６】
0003629606.tif 000007
【図７】
0003629606.tif 000008
【図８】
0003629606.tif 000009
【図９】
0003629606.tif 000010